(57)【要約】【課題】  振動板に対するセンターキャップの固定を、接着剤を使用することなく、簡単かつ容易に、しかも強固に固定することのできるスピーカと、その製造法を提供する。【解決手段】  センターキャップ５の外周部に、複数の係合片６ａ，６ｂ，６ｃを突出形成するとともに、振動板２のキャップ保持部３に、前記係合片６ａ，６ｂ，６ｃに相対させて取付け孔３ａ，３ｂ，３ｃを形成し、前記各係合片６ａ，６ｂ，６ｃを、キャップ保持部３の相対する部位に設けられた取付け孔３ａ，３ｂ，３ｃにそれぞれ挿入し、センターキャップ５を振動板３に固定してスピーカ１とする。【選択図】      図２
2005286489.tif 000002
【特許請求の範囲】
【請求項１】
センターキャップの外周部に、複数の係合片を突出形成するとともに、
振動板のキャップ保持部に、前記係合片に相対させて取付け孔を形成し、
前記各係合片を、キャップ保持部の相対する部位に設けられた取付け孔にそれぞれ挿入し、センターキャップを振動板に固定すること
を特徴とするスピーカ。
【請求項２】
前記係合片は、
前記センターキャップに一体的に成形されたものであること
を特徴とする請求項１に記載のスピーカ。
【請求項３】
前記センターキャップと係合片は、
同質の合成樹脂材料で、一体成形されたものであること
を特徴とする請求項１又は２に記載のスピーカ。
【請求項４】
前記係合片は、
少なくとも１本が、センターキャップから下方に垂直に延出し、その他のものが、側方ないし斜め下方向に延出していること
を特徴とする請求項１〜３のいずれかに記載のスピーカ。
【請求項５】
前記１本の係合片は、
前記振動板のキャップ保持部の裏面において、先端部を溶融し、キャップ保持部の裏面に溶着させたこと
を特徴とする請求項１〜４のいずれかに記載のスピーカ。
【請求項６】
前記１本の係合片は、
その軸部の先端部に頭部を有するとともに、この頭部から基部方向にスリットが形成されていること
を特徴とする請求項１〜４のいずれかに記載のスピーカ。
【請求項７】
周縁部に複数の係合片を突出させたセンターキャップを、合成樹脂材料で一体的に形成するとともに、
前記各係合片を、これら係合片に相対させて、振動板のキャップ保持部に形成した取付け孔に挿入し、
前記各係合片の少なくとも１本を、前記キャップ保持部の裏面で、キャップ保持部に係着させたこと
を特徴とするスピーカの製造法。
【請求項８】
前記係合片は、
少なくとも１本が、センターキャップから下方に垂直に延出し、その他のものが、側方ないし斜め下方向に延出していること
を特徴とする請求項７に記載のスピーカの製造法。
【請求項９】
前記１本の係合片とキャップ保持部の係着は、
前記取付け孔から突出する当該係合片の先端部を、熱処理してキャップ保持部の裏面に溶着させること
を特徴とする請求項７に記載のスピーカの製造法。
【請求項１０】
前記１本の係合片とキャップ保持部の係着は、
先端部に頭部を有する係合片を、前記頭部から基部方向に形成したスリットによる弾性作用を利用して前記取付け孔に挿入し、キャップ保持部の裏面において、スリットによる復元作用によって常態に戻すことによって行なうこと
を特徴とする請求項７に記載のスピーカの製造法。
【請求項１１】
前記振動板は、
ポリプロピレンまたはＡＢＳ樹脂などの合成樹脂で成形されたものであること
を特徴とする請求項７に記載のスピーカの製造法。
【発明の詳細な説明】
【技術分野】
【０００１】
この発明は、各種の音響機器に使用されるスピーカ、より詳しくは、振動板に対してセンターキャップを、接着剤を使用することなく取付けることが可能なスピーカと、その製造法に関するものである。
【背景技術】
【０００２】
スピーカのセンターキャップ（ダストキャップとも云う。）は、振動板の前面からの防塵を目的とするもので、一般的には、振動板のボイスコイルとの結合部上面に、センターキャップを、その外周の貼りしろ部に接着剤を塗布し、接合して構成されている。
【０００３】
その際、振動板が、ポリプロピレン（ＰＰ）のような合成樹脂で成型されている場合、センターキャップも同質に合成樹脂であるので、接着剤を使用して両者を接合一体化させるには、あらかじめプライマー処理やプラズマ処理などの前処理を行なったのち、接着剤により接合するという手段を採っていた。
【０００４】
そこで、特開平５−１８３９８８号公報（特許文献１）においては、ダストキャップの接着信頼性に非常に優れたスピーカを提供することを目的として、振動板とダストキャップの接着を接着剤のみやプライマー処理、プラズマ処理後の接着剤使用にのみ頼って実施するのではなく糸、線材やリベット、アイレット等の別の結合媒体により縫合、カシメ込みなどの機械的結合により結合するか、もしくは、さらに接着剤との併用により結合する構成としたスピーカが提案されている。
【特許文献１】特開平  ５−１８３９８８号公報（特許請求の範囲、図１）
【発明の開示】
【発明が解決しようとする課題】
【０００５】
スピーカにおいて、大音量を得るためにボイスコイルに大電流を供給すると、振動板に撓みが生じる。そのため、接着剤のみで固定している場合、振動板とセンターキャップとの結合力が弱くなり、振動板の中央部に接着固定されたセンターキャップが、振動板より一部が浮き上がったり、脱落するという欠点がある。
【０００６】
また、前記の特許文献1に記載の、振動板とセンターキャップとの結合方法は、接着剤のみに頼るのではなく、糸、線材等の別の結合媒体により機械的に結合する手法で、樹脂製の振動板使用でも、結合強度が高まるという効果が得られるものである。
【０００７】
しかし、作業工程としては、樹脂接着工程に加えて、糸による縫合工程、あるいは、リベットによる固定工程など、新たな固定用部材と工程を必要とするもので、作業が複雑になり作業効率が下がると言う問題を有している。
【０００８】
この発明はかかる現状に鑑み、振動板に対するセンターキャップの固定を、接着剤を使用することなく、簡単かつ容易に、しかも強固に固定することのできるスピーカと、その製造法を提供せんとするものである。
【課題を解決するための手段】
【０００９】
前記の目的を達成するため、この発明の請求項１に記載の発明は、
センターキャップの外周部に、複数の係合片を突出形成するとともに、
振動板のキャップ保持部に、前記係合片に相対させて取付け孔を形成し、
前記各係合片を、キャップ保持部の相対する部位に設けられた取付け孔にそれぞれ挿入し、センターキャップを振動板に固定すること
を特徴とするスピーカである。
【００１０】
また、この発明の請求項２に記載の発明は、
請求項１に記載のスピーカにおいて、
前記係合片は、
前記センターキャップに一体的に成形されたものであること
を特徴とするものである。
【００１１】
また、この発明の請求項３に記載の発明は、
請求項１又は２に記載のスピーカにおいて、
前記センターキャップと係合片は、
同質の合成樹脂材料で、一体成形されたものであること
を特徴とするものである。
【００１２】
また、この発明の請求項４に記載の発明は、
請求項１〜３のいずれかに記載のスピーカにおいて、
前記係合片は、
少なくとも１本が、センターキャップから下方に垂直に延出し、その他のものが、側方ないし斜め下方向に延出していること
を特徴とするものである。
【００１３】
また、この発明の請求項５に記載の発明は、
請求項１〜４のいずれかに記載のスピーカにおいて、
前記１本の係合片は、
前記振動板のキャップ保持部の裏面において、先端部を溶融し、キャップ保持部の裏面に溶着させたこと
を特徴とするものである。
【００１４】
また、この発明の請求項６に記載の発明は、
請求項１〜４のいずれかに記載のスピーカにおいて、
前記１本の係合片は、
その軸部の先端部に頭部を有するとともに、この頭部から基部方向にスリットが形成されていること
を特徴とするものである。
【００１５】
さらに、この発明の請求項７に記載の発明は、
周縁部に複数の係合片を突出させたセンターキャップを、合成樹脂材料で一体的に形成するとともに、
前記各係合片を、これら係合片に相対させて、振動板のキャップ保持部に形成した取付け孔に挿入し、
前記各係合片の少なくとも１本を、前記キャップ保持部の裏面で、キャップ保持部に係着させたこと
を特徴とするスピーカの製造法である。
【００１６】
また、この発明の請求項８に記載の発明は、
請求項７に記載のスピーカの製造法において、
前記係合片は、
少なくとも１本が、センターキャップから下方に垂直に延出し、その他のものが、側方ないし斜め下方向に延出していること
を特徴とするものである。
【００１７】
また、この発明の請求項９に記載の発明は、
請求項７に記載のスピーカの製造法において、
前記１本の係合片とキャップ保持部の係着は、
前記取付け孔から突出する当該係合片の先端部を、熱処理してキャップ保持部の裏面に溶着させること
を特徴とするものである。
【００１８】
また、この発明の請求項９に記載の発明は、
請求項７に記載のスピーカの製造法において、
前記１本の係合片とキャップ保持部の係着は、
先端部に頭部を有する係合片を、前記頭部から基部方向に形成したスリットによる弾性作用を利用して前記取付け孔に挿入し、キャップ保持部の裏面において、スリットによる復元作用によって常態に戻すことによって行なうこと
を特徴とするものである。
【００１９】
また、この発明の請求項１０に記載の発明は、
請求項７に記載のスピーカの製造法において、
前記振動板は、
ポリプロピレンまたはＡＢＳ樹脂などの合成樹脂で成形されたものであること
を特徴とするものである。
【発明の効果】
【００２０】
この発明のスピーカは、振動板へのセンターキャップの取付けに際し、センターキャップに複数の係合片を突出形成し、これら各係合片を、各係合片に相対させて振動板のキャップ保持部に形成した取付け孔に挿入し、センターキャップを振動板に固定するよう構成しているので、接着剤などを用いることなく、センターキャップを振動板に簡単かつ容易に固定することができる。
【００２１】
特に、この発明においては、センターキャップに突出形成する複数の係合片のうち、少なくとも1本を、センターキャップの裏面から下方に垂直に延出し、その他のものを、側方ないし斜め下方向に延出させることによって、これら係合片のキャップ保持部への取付け角度を異ならせているので、センターキャップを振動板に確実に固定できるとともに、振動に対し強固で、センターキャップの浮き上がり、あるいは脱落が解消される。
【００２２】
また、センターキャップと、その周縁部に突出形成する複数の係合片を、合成樹脂材料によって一体成形することが可能であるので、センターキャップを安価に製造することができるとともに、振動板に対するセンターキャップの取付け作業を、きわめて簡単かつ容易に行なうことができる。
【００２３】
また、前記係合片のキャップ保持部への挿入は、キャップ保持部に形成する取付け孔の大きさを、係合片の軸の大きさよりも若干小さく設定することで、振動板からのセンターキャップの浮き上がりや離脱を防ぐことが可能であるが、より確実にするため、取付け孔から突出する係合片の少なくとも1本を、キャップ保持部の裏面でキャップ保持部と係着させることによって、最少の抜け防止処理で、センターキャップの振動板からの浮き上がりや離脱を防ぐことができ、作業効率を高めることが可能となる。
【発明を実施するための最良の形態】
【００２４】
以下、この発明にかかるスピーカの実施の形態を、添付の図面に基づいて具体的に説明するに、図１はこの発明にかかるスピーカの要部である振動板の一例を示す正面図、図２は図１に示す振動板とセンターキャップとの関係を示す説明図、図３は振動板へのセンターキャップの固定手段の一例を示す説明図、図４は振動板へのセンターキャップの他の固定手段を示す説明図、図５はセンターキャップの他の例を示す平面図、図６は同側面図である。
【００２５】
図１に示す振動板１は、コーン状の振動板主体２の先端部を縮径させてキャップ保持部３を形成し、このキャップ保持部３に連設して筒状のネック部４を一体的に形成したものである。その際、振動板を成形する素材には特段の制限はないが、ポリプロピレン（ＰＰ）やアクリルニトリルブタジエンスチレン（ＡＢＳ）などのプラスチック素材で成形することが好ましい。
【００２６】
この振動板１は、図で明らかなように、前記キャップ保持部３に複数の取付け孔３ａ，３ｂ，３ｃ（この実施例では３つ）を表裏に貫通させて形成したもので、前記取付け孔３ａは、表面から裏面方向に垂直に形成され、取付け孔３ｂ，３ｃは、表面から裏面方向に水平ないし斜め下方に形成されているもので、前記取付け孔３ａは、取付け孔３ｂ，３ｃとは対向する位置に配され、取付け孔３ｂと３ｃとは、比較的近接した位置に配設されているが、この取付け孔の位置は、図示のものに限定されるものではない。
【００２７】
また、図２において、５は前記振動板１の上面中央部に固定されるセンターキャップであって、その素材には特段の制限はないが、前記振動板１と同質のＰＰ樹脂やＡＢＳ樹脂などのプラスチック素材で成形することが好ましい。
【００２８】
このセンターキャップ５は、前記振動板１の中央の開口部を閉止するのに適した大きさであれば、その形状には特段の制限はなく、その外周部近傍の裏面には、複数の係合片６ａ，６ｂ，６ｃがそれぞれ一体に形成されている。
【００２９】
これら係合片６ａ，６ｂ，６ｃは、いずれも中空ないし中実の棒状体からなるものであって、係合片６ａは、センターキャップ５の裏面に下方に向けて垂直に突出形成され、係合片６ｂ，６ｃは、いずれもセンターキャップ５の裏面に斜め下方に向けて突出形成されたもので、係合片６ａは前記取付け孔３ａに、係合片６ｂは取付け孔３ｂに、係合片６ｃは取付け孔３ｃにそれぞれ相対させて形成されたものである。
【００３０】
なお、係合片の突出方向には、特段の制限がないものの、全てを同一方向、例えば、下方のみ、あるいは側方のみとするよりは、少なくとも1本の係合片は、前記のように、ボイスコイルボビン（図示せず）の振動方向と平行するよう、磁気回路方向に垂直に突出形成し、その他の係合片は、外側に向かって水平ないし斜め下方に突出形成して、キャップ保持部３に係合させる際、係合方向を変えることによって、振動板２に対するセンターキャップ５の固定を強固にし、取付け後のセンターキャップ５の浮き上がりや、離脱を確実に防止することができる。
【００３１】
かかる構成のセンターキャップ５は、特に、図２で明らかなように、キャップ保持部３に形成された取付け孔３ａ，３ｂ，３ｃの開口方向に合わせて係合片６ａ，６ｂ，６ｃを対向配置し、しかるのち、係合片６ａを取付け孔３ａに、係合片６ｂを取付け孔３ｂに、係合片６ｃを取付け孔３ｃにそれぞれ挿通させて固定するものである。
【００３２】
その際、キャップ保持部３に形成する取付け孔３ａなどの大きさを、係合片６ａなどの軸の大きさよりも若干小さく設定することで、振動板２からのセンターキャップ５の浮き上がりや離脱を防ぐことが可能である。より確実にするためには、図３に示すように、センターキャップ５の裏面に下方に向けて垂直に延出させた係合片６ａを、取付け孔３ａに貫通させたのち、その先端部を熱処理、すなわち溶融させて、キャップ保持部３の裏面に溶着Ｍさせれば、振動板２からのセンターキャップ５の浮き上がりや離脱を、一本の係合片６ａに対する抜け防止処理をすることで確実に防ぐことができる。
【００３３】
また、図４に示すように、係合片６ａの先端部に、取付け孔３ａの径より少し大きな頭部７を形成するとともに、この頭部７の中央部から基端部に向けてスリット（割り溝）８を形成し、このスリット８による弾性作用を利用して取付け孔３ａに係合片６ａの頭部７を貫通させれば、取付け孔３ａを貫通した際、スリット８の復元力で頭部７が通常の状態に復帰し、キャップ保持部３の裏面と係合片６ａが互いに係着し、センターキャップ５の浮き上がりや離脱を確実に防ぐことができる。
【００３４】
さらに、図５および図６は、この発明にかかるスピーカに使用するセンターキャップの他の例を示すもので、前記実施例では、全体の形状が平面円形であるに対し、図示のセンターキャップ１０は、平面五角形である点のみが相違するもので、一つの頂点の裏面に係合片１１ａを下方に垂直に突出形成し、この頂角の反対側に位置する辺の裏面に、２本の併合片１１ｂ，１１ｃを所定の間隔を存して、それぞれ斜め下方に向けて突出形成したもので、組立て法も前記実施例と同一である。
【００３５】
この発明においては、使用する振動板の形状は、丸に限らず、多角形でも当然適用できるもので、センターキャップを振動板の形状に合わせることによって、デザインを統一することができる。また、好ましくは、係合片の素材が合成樹脂であればよく、振動板やセンターキャップの素材は自由に選択可能である。
【００３６】
また、この実施例においては、振動板とセンターキャップとの固定に際し、振動板のキャップ保持部に取付け孔を、センターキャップの裏面に係合片を突出形成している。しかしながら、振動板側に係合片を、センターキャップ側に取付け孔を形成しても同様の効果が得られるが、係合片の先端部が外部に顕出するため、外観上の観点からは好ましいとは言い得ない。
【図面の簡単な説明】
【００３７】
【図１】この発明にかかるスピーカの要部である振動板の一例を示す正面図である。
【図２】図１に示す振動板とセンターキャップとの関係を示す説明図である。
【図３】振動板へのセンターキャップの固定手段の一例を示す説明図である。
【図４】振動板へのセンターキャップの他の固定手段を示す説明図である。
【図５】センターキャップの他の例を示す平面図である。
【図６】同側面図である。
【符号の説明】
【００３８】
１          スピーカ
２          振動板
３          キャップ保持部
３ａ〜３ｃ  取付け孔
４          ネック部
５          センターキャップ
６ａ〜６ｃ  係合片
【図１】
2005286489.tif 000003
【図２】
2005286489.tif 000004
【図３】
2005286489.tif 000005
【図４】
2005286489.tif 000006
【図５】
2005286489.tif 000007
【図６】
2005286489.tif 000008